(57)【特許請求の範囲】
【請求項１】
吊環と、長さ調整可能な一対のシャフトと、該シャフトの両端部に各々回転自在に軸支される一対のカムと、該吊環の下端に設けられる吊環ボルトと該カムの一端との間に各々連結される一対のカムリンクとを有する作動体と、略垂直方向に延長する上部長溝および下部長溝を有する支持板と、該支持板と上記シャフトの両端部との間に連結される一対の第１スライドリンクと、該第１スライドリンクの各々における所定箇所と該支持板における下部長溝内を移動可能なスライドボルトとの間に連結される一対の第２スライドリンクとを有する支持体とからなり、上記作動体における吊環ボルトは上記支持体における支持板の上部長溝内を移動可能であることを特徴とするコンクリート内吊り用クランプ。
【請求項２】
上記作動体および上記支持体が各々所定間隔をおいて一対設けられ、これらを該所定間隔に保持すると共に各々同期して連動させる連結手段が備えられることを特徴とする請求項１のコンクリート内吊り用クランプ。
【請求項３】
上記シャフトの両端部に各々カムボルトを介してカムが回転自在に軸支されており、上記第１スライドリンクの各一端が該カムボルトに連結されることを特徴とする請求項１のコンクリート内吊り用クランプ。
【請求項４】
上記シャフトが、各々その外方端にカムを回転自在に軸支する一対の第１シャフトと、該第１シャフトの各々内方端部を収容する第２シャフトと、該第２シャフトに対する該第１シャフト内方端部の収容長さを調整する調整手段とを有してなることを特徴とする請求項１ないし３のいずれかのコンクリート内吊り用クランプ。
【請求項５】
上記シャフトが、その一端に一方のカムを回転自在に軸支する第１シャフトと、該第１シャフトの他端を収容すると共にその他端に他方のカムを回転自在に軸支する第２シャフトと、該第２シャフトに対する該第１シャフトの収容長さを調整する調整手段とを有してなることを特徴とする請求項１ないし３のいずれかのコンクリート内吊り用クランプ。
【請求項６】
上記調整手段が、第１シャフトまたは第２シャフトのいずれか一方に設けられる少なくとも一のピン挿通穴と、第１シャフトまたは第二シャフトの他方に設けられる複数のピン調整穴と、ピン挿通穴および選択された一のピン調整穴を挿通して第１シャフトと第１シャフトを連結し一体化する抜き差し可能なピンとからなることを特徴とする請求項４または５のいずれかのコンクリート内吊り用クランプ。
【発明の詳細な説明】
【０００１】
【発明の属する技術分野】
本発明は道路側溝として用いられるＵ字形のコンクリート製品の吊り上げに適した内吊り用クランプに関する。
【０００２】
【従来の技術】
内吊り用クランプはＵ字溝の敷設作業に好適に用いられるものとして各種のタイプが開発され実用化されている。
【０００３】
内吊り用クランプにあっては、吊り上げようとするコンクリート製品の内寸（内壁面間の間隔）に応じてコンクリート内壁面に係合する一対のアームの間隔を調整する必要があり、このために従来の内吊り用クランプでは、本体に複数のピン穴をあけてピンの差し込み位置によって開口幅を調整する機構や、アーム同士を連結するネジ棒やシャフトを回転して開口幅を調整する機構が採用されている。
【０００４】
【発明が解決しようとする課題】
しかしながら、前者の開口調整機構では、本体に形成されたピン穴の間隔に応じた調整しかできず、微調整ができないという問題がある。また、後者の開口調整機構によれば微調整が可能であるが、吊り上げようとするコンクリート製品の内寸が大きく異なる場合にはネジ棒やシャフトを交換しなければならず、一つの内吊り用クランプで様々な内寸のコンクリート製品に対応させることが困難である。
【０００５】
【課題を解決するための手段】
そこで本発明は、広範な範囲において開口幅の微調整が可能なコンクリート内吊り用クランプを提供することを目的とする。
【０００６】
すなわち本発明によるコンクリート内吊り用クランプは、吊環と、長さ調整可能な一対のシャフトと、該シャフトの両端部に各々回転自在に軸支される一対のカムと、該吊環の下端に設けられる吊環ボルトと該カムの一端との間に各々連結される一対のカムリンクとを有する作動体と、略垂直方向に延長する上部長溝および下部長溝を有する支持板と、該支持板と上記シャフトの両端部との間に連結される一対の第１スライドリンクと、該第１スライドリンクの各々における所定箇所と該支持板における下部長溝内を移動可能なスライドボルトとの間に連結される一対の第２スライドリンクとを有する支持体とからなり、上記作動体における吊環ボルトは上記支持体における支持板の上部長溝内を移動可能であることを特徴とする。
【０００７】
請求項２は、請求項１のコンクリート内吊り用クランプにおいて、上記作動体および上記支持体が各々所定間隔をおいて一対設けられ、これらを該所定間隔に保持すると共に各々同期して連動させる連結手段が備えられることを特徴とする。
【０００８】
請求項３は、請求項１のコンクリート内吊り用クランプにおいて、上記シャフトの両端部に各々カムボルトを介してカムが回転自在に軸支されており、上記第１スライドリンクの各一端が該カムボルトに連結されることを特徴とする。
【０００９】
請求項４は、請求項１ないし３のいずれかのコンクリート内吊り用クランプにおいて、上記シャフトが、各々その外方端にカムを回転自在に軸支する一対の第１シャフトと、該第１シャフトの各々内方端部を収容する第２シャフトと、該第２シャフトに対する該第１シャフト内方端部の収容長さを調整する調整手段とを有してなることを特徴とする。
【００１０】
請求項５は、請求項１ないし３のいずれかのコンクリート内吊り用クランプにおいて、上記シャフトが、その一端に一方のカムを回転自在に軸支する第１シャフトと、該第１シャフトの他端を収容すると共にその他端に他方のカムを回転自在に軸支する第２シャフトと、該第２シャフトに対する該第１シャフトの収容長さを調整する調整手段とを有してなることを特徴とする。
【００１１】
請求項６は、請求項４または５のいずれかのコンクリート内吊り用クランプにおいて、上記調整手段が、第１シャフトまたは第２シャフトのいずれか一方に設けられる少なくとも一のピン挿通穴と、第１シャフトまたは第二シャフトの他方に設けられる複数のピン調整穴と、ピン挿通穴および選択された一のピン調整穴を挿通して第１シャフトと第１シャフトを連結し一体化する抜き差し可能なピンとからなることを特徴とする。
【００１２】
【発明の実施の形態】
本発明の一実施例によるコンクリート内吊り用クランプを以下図１および図２を参照して説明する。
【００１３】
吊環１０の下端には吊環ボルト１１が設けられ、この吊環ボルト１１に一対のカムリンク１２ａ，１２ｂの各一端が連結されている。カムリンク１２ａ，１２ｂの各他端は、長さ調整可能なシャフト１３の両端にカムボルト１４ａ，１４ｂにより回転自在に軸支された一対のカム１５ａ，１５ｂの一端と連結されている。これら吊環１０，吊環ボルト１１，カムリンク１２ａ，１２ｂ，シャフト１３，カムボルト１４ａ，１４ｂおよびカム１５ａ，１５ｂより作動体１６が構成され、クランプには一対の作動体１６，１６が備えられる。図２より明らかなように、一対の作動体１６，１６は、吊環１０，１０の上端部同士を連結する連結シャフト１７、吊環ボルト１１，１１を両端に螺着する連結シャフト１８およびカムボルト１４ａ，１４ｂを各々両端に螺着する連結シャフト１９によって所定間隔に連結され、且つ、互いに同期して連動する。
【００１４】
一方、支持体２０は、略垂直方向に延長する上部長溝２１および下部長溝２２を有する支持板２３を有する。吊環ボルト１１は支持板２３の上部長溝２１内を挿通しており、上部長溝２１に沿って略垂直方向に移動可能である。一対の第１スライドリンク２５ａ，２５ｂが、支持板２３にはアームボルト２４ａ，２４ｂで、シャフト１３にカムボルト１４ａ，１４ｂで、各々連結されている。第１スライドリンク２５ａ，２５ｂの略中間部には一対の第２スライドリンク２６ａ，２６ｂの一端が各々連結されている。第２スライドリンク２６ａ，２６ｂの各他端はいずれも、支持板２３の下部長溝２２内を移動可能なスライドボルト２７に枢着されている。これら支持板２３，第１スライドリンク２５ａ，２５ｂ，第２スライドリンク２６ａ，２６ｂ，スライドボルト２７等により構成される支持体２０が一対設けられ、図２より明らかなように、アームボルト２４ａ，２４ｂを両端に螺着する連結シャフト２８および支持板２３，２３の下端部同士を連結する連結シャフト２９によって所定間隔に連結され、且つ、互いに同期して連動する。
【００１５】
なお、図示実施例において第１スライドリンク２５ａ，２５ｂはカムボルト１４ａ，１４ｂを超えてさらに下方に延長しており、それらの下端部に車軸３０および車輪３１ａ，３１ｂが回転自在に取り付けられている。これによりクランプの走行を容易にしている。
【００１６】
以上の説明から明らかなように、このクランプは各々一対の作動体１６と支持体２０とで構成され、支持体２０における第１スライドリンク２５ａ，２５ｂの各一端が作動体１８におけるカムボルト１４ａ，１４ｂに連結され、且つ、作動体１８におけるカムリンク１２ａ，１２ｂの開閉支点となる吊環ボルト１１が支持体２０における支持板２３の上部長溝２２内に移動可能に収容されていることにより、これら作動体１６と支持体２０とが一体化されている。作動体１６はクランプ開閉動作を行い、支持体２０は作動体１６を安定的に支持している。
【００１７】
図１および図２はクランプが閉じた状態を示している。このとき、吊環ボルト１１は支持板２３の上部長溝２２の下端近くに位置している。クランプをこの状態として、吊り上げようとするコンクリート製品のＵ字溝内に配置する。
【００１８】
この状態から吊環１０が吊り上げられると、吊環ボルト１１が上部長溝２２に沿って上方に移動し、一対のカムリンク１２ａ，１２ｂが互いに閉じる方向に回転し、これに伴ってカム１５ａ，１５ｂが各々カムボルト１４ａ，１４ｂを支点として互いに開く方向に回転する。かくしてカム１５ａ，１５ｂは図１に仮想線で示す位置となり、コンクリート製品の内壁面Ｗ，Ｗにカム１５ａ，１５ｂの外周に形成された係合歯（図示せず）が噛み合い、コンクリート製品の吊り上げを可能にする。
【００１９】
このクランプは内寸（内壁面Ｗ，Ｗ間の間隔）の異なるコンクリート製品の吊り上げに汎用することができる。これは、シャフト１３の長さが調整可能とされていることによって達成される。図示実施例では、シャフト１３は、各々その外方端にカムボルト１４ａ，１４ｂを介してカム１５ａ，１５ｂを回転自在に軸支する一対の小径シャフト１３ａ，１３ｂと、これら小径シャフト１３ａ，１３ｂの各々内方端部を収容する大径中央シャフト１３ｃとからなり、小径シャフト１３ａ，１３ｂの各々内方端部には一つのピン挿通穴（図示せず）が設けられると共に、大径中央シャフト１３ｃの両端部には各々数個のピン調整穴が設けられている。そして、小径シャフト１３ａ，１３ｂのピン挿通穴と、大径中央シャフト１３ｃにおいて選択した位置のピン調整穴とに抜き差しピン３４を挿入することによってこれらシャフト１３ａ〜１３ｃを連結一体化する。大径中央シャフト１３ｃにおいて異なる位置のピン調整穴を用いることにより、このシャフト１３ｃに対する小径シャフト１３ａ，１３ｂの内方端部の収容長さを調整することができ、一体化されたシャフト１３の長さを調節することができる。
【００２０】
たとえば大径中央シャフト１３ｃの両端部に各々２個のピン調整穴３２ａ，３２ｂ；３３ａ，３３ｂを設けた場合、図３（Ａ）に示すようにいずれも外側のピン調整穴３２ａ，３３ａを用いて各々小径シャフト１３ａ，１３ｂを連結させた場合と、図３（Ｂ）に示すように一方は外側（３３ａ）他方は内側（３２ｂ）のピン調整穴を用いて小径シャフトを連結させた場合と、図３（Ｃ）に示すようにいずれも内側のピン調整穴３２ｂ，３３ｂを用いて各々小径シャフトを連結させた場合と、３通りの長さのシャフト１３を得ることができる。シャフト１３は広い範囲において微調整可能にすることが好ましいが、これは、大径中央シャフト１３ｃの両端部に狭い間隔で多数の調整穴を設けることによって、あるいは小径シャフト１３ａ，１３ｂの内方端部にも複数のピン調整穴を設けることによって、あるいはこれらシャフトを構成する部材、特に大径中央シャフト１３ｃについて複数の長さを有するものを用意しておいて適宜交換して用いることによって、あるいはこれらを併用することによって、実現することが可能である。
【００２１】
図４は上記クランプにおける作動体についての変形例を示す。この作動体１６’においては、シャフト１３が、その一端に一方のカム１５ａをカムボルト１４ａを介して回転自在に軸支する小径シャフト１３ｄと、その一端に他方のカム１５ｂをカムボルト１５ｂを介して回転自在に軸支する大径シャフト１３ｅとからなり、カム１５ａ，１５ｂとは反対側端部において小径シャフト１３ｄが大径シャフト１３ｅに収容された状態で抜き差しピン３４によって連結一体化されている。この場合、小径シャフト１３ｄの挿入端部に少なくとも１個のピン挿入穴を設けると共に、大径シャフト１３ｅの収容端部に複数のピン調整穴を設け、該ピン調整穴のうちの一とピン挿入穴とに抜き差しピン３４を挿通させてこれらシャフトを連結一体化する。抜き差しピン３４を挿通させるピン調整穴の位置を適宜変えることによって、シャフト１３の長さを変え、異なる内寸のコンクリート製品の吊り上げに汎用させることができる。
【００２２】
【発明の効果】
本発明によれば、広範な範囲においてクランプアーム開口幅の微調整が可能であるため、様々な内寸のコンクリート製品にも対応することのできる内吊り用クランプが提供される。
【図面の簡単な説明】
【図１】本発明の一実施例によるコンクリート内吊り用クランプの構成を示す正面図である。
【図２】同クランプの側面図である。
【図３】同クランプのシャフトの連結構成および長さ調整のバリエーションを示す説明図である。
【図４】同クランプの変形例における作動体を示す正面図である。
【符号の説明】
１０  吊環
１１  吊環ボルト
１２ａ，１２ｂ  カムリンク
１３  長さ調整可能なシャフト
１３ａ，１３ｂ，１３ｄ  小径シャフト
１３ｃ，１３ｅ  大径シャフト
１４ａ，１４ｂ  カムボルト
１５ａ，１５ｂ  カム
１６，１６’  作動体
２０  支持体
２１  支持板
２２  上部長溝
２３  下部長溝
２４ａ，２４ｂ  アームボルト
２５ａ，２５ｂ  第１スライドリンク
２６ａ，２６ｂ  第２スライドリンク
２７  スライドボルト
３１ａ，３１ｂ，３２ａ，３２ｂ  ピン調整穴
３４  抜き差しピン
【図１】
0004153599.tif 000002
【図２】
0004153599.tif 000003
【図３】
0004153599.tif 000004
【図４】
0004153599.tif 000005